(57)【要約】    【課題】装置本体のコンパクト化を図り、ホイール意匠の変更にも容易に対応できるようにする。    【解決手段】本発明の防錆フイルムの貼付治具は、上面に防錆フイルムを収容するための円形の凹陥部１１が設けられた位置決め台１と、当該位置決め台１の凹陥部１１に着脱自在に装着し得る取付け治具本体２と、位置決め台１の下方部位に所定長の支柱７を介して配設された円板状の台座３と、台座３の下部に一体的に取り付けられた吸引機４と、必要に応じて吸引機４の下部に取り付けられたキャスター５とを備えている。【選択図】図１
2009066964.tif 000002
【特許請求の範囲】
【請求項１】
上面に防錆フイルムを収容するための凹陥部を有する位置決め台と、前記凹陥部に着脱自在に装着し得る取付け治具本体と、前記取付け治具本体の近傍に配設される吸引機とを備え、
前記取付け治具本体は、吸引口を有する基板と、前記基板の下面に設けられた吸着部材とを備え、
前記吸引機を構成する吸引ホースの端部は前記取付け治具本体の前記吸引口に連結されていることを特徴とする防錆フイルムの貼付治具。
【請求項２】
前記凹陥部の底部中心部には貫通孔が設けられ、前記貫通孔の周縁部には前記防錆フイルムを位置決めするための位置決め部材が配設されていることを特徴とする請求項１記載の防錆フイルムの貼付治具。
【請求項３】
前記取付け治具本体の前記基板の下面の中心部には円筒状の位置決め駒が垂設され、前記位置決め駒の先端部には可動部材が出没自在に装着されていることを特徴とする請求項１または請求項２記載の防錆フイルムの貼付治具。
【請求項４】
前記位置決め駒は、ホイールのインロー部に装着し得るように構成されていることを特徴とする請求項３記載の防錆フイルムの貼付治具。
【請求項５】
前記位置決め台の下方部位には台座が離間して配設されていることを特徴とする請求項１乃至請求項４何れか１項記載の防錆フイルムの貼付治具。
【請求項６】
前記台座の下部には前記吸引機が前記台座と一体的に配設されていることを特徴とする請求項１乃至請求項５何れか１項記載の防錆フイルムの貼付治具。    
【請求項７】
前記吸引機の下部にはキャスターが取り付けられていることを特徴とする請求項１乃至請求項６何れか１項記載の防錆フイルムの貼付治具。
【発明の詳細な説明】
【技術分野】
【０００１】
本発明は、防錆フイルムの貼付治具に係わり、特に装置本体のコンパクト化を図り、ホイールの形状と関係なく各種のホイールに適用することができる防錆フイルムの貼付治具に関する。
【背景技術】
【０００２】
一般に、車両の保管時や輸送時においては、ディスクホイールのホイール孔からの雨水などの浸入によりブレーキディスクが錆びるのを防止するため、ディスクホイールの意匠面に防錆フイルムを貼り付けることが行われている。
【０００３】
従来から、この種の防錆フイルムの貼付治具として、図３に示すような構成のものが案出されている（例えば、特許文献１参照）。
【０００４】
同図において、従来の防錆フイルムの貼付治具は、上面に円形の凹陥部１１０を有する位置決め台１００と、位置決め台１００の凹陥部１１０に着脱自在に装着される取付け治具本体２００と、位置決め台１００の近傍に離間して配設される吸引機３００とを備えている。
【０００５】
ここで、取付け治具本体２００は、上面に取手２１０、吸引口（マニホールド）２２０およびトルグスイッチ２３０が設けられた円板状の基板２４０と、当該基板２４０の下面に積層するように取り付けられたドーナツ状のウレタンフォーム２５０と、当該基板２４０の下面中心部に垂設された円筒状の位置決め駒２６０とを備えており、吸引機３００を構成する吸引ホース３１０の端部は取付け治具本体２００の吸引口２２０に気密に連結されている。なお、図中、符合４００は防錆フイルム、５００は円筒状のカラー、６００は支柱、７００は台座、８００はゴム脚をそれぞれ示している。
【０００６】
しかしながら、このような構成の防錆フイルムの貼付治具においては、貼付治具本体２００の近傍に吸引機３００が離間して配設されていることから、吸引ホース３１０の長さが長くなり、また、取付け治具本体２００の基板２４０の下面に設けられた円筒状の位置決め駒２６０は特定のホイールの形状に合わせて設計されていることから、ホイール形状が変わると駒２６０は位置決めできないという難点があった。
【０００７】
【特許文献１】特開２００４−１４２１１５号公報
【発明の開示】
【発明が解決しようとする課題】
【０００８】
本発明は、上述の難点を解決するためになされたもので、装置本体のコンパクト化を図り、ホイールの形状と関係なく各種のホイールに適用することができる防錆フイルムの貼付治具を提供することを目的としている。
【課題を解決するための手段】
【０００９】
本発明の第１の態様である防錆フイルムの貼付治具は、上面に防錆フイルムを収容するための凹陥部を有する位置決め台と、凹陥部に着脱自在に装着し得る取付け治具本体と、取付け治具本体の近傍に配設される吸引機とを備え、取付け治具本体は、吸引口を有する基板と、基板の下面に設けられた吸着部材とを備え、吸引機を構成する吸引ホースの端部は取付け治具本体の吸引口に連結されているものである。
【００１０】
本発明の第２の態様は、第１の態様である防錆フイルムの貼付治具において、凹陥部の底部中心部には貫通孔が設けられ、貫通孔の周縁部には防錆フイルムを位置決めするための位置決め部材が配設されているものである。
【００１１】
本発明の第３の態様は、第１の態様または第２の態様である防錆フイルムの貼付治具において、取付け治具本体の基板の下面の中心部には円筒状の位置決め駒が垂設され、位置決め駒の先端部には可動部材が出没自在に装着されているものである。
【００１２】
本発明の第４の態様は、第３の態様である防錆フイルムの貼付治具において、位置決め駒は、ホイールのインロー部に装着し得るように構成されているものである。
【００１３】
本発明の第５の態様は、第１の態様乃至第４の態様の何れかの態様である防錆フイルムの貼付治具において、位置決め台の下方部位には台座が離間して配設されているものである。
【００１４】
本発明の第６の態様は、第１の態様乃至第５の態様の何れかの態様である防錆フイルムの貼付治具において、台座の下部には吸引機が前記台座と一体的に配設されているものである。
【００１５】
本発明の第７の態様は、第１の態様乃至第６の態様の何れかの態様である防錆フイルムの貼付治具において、吸引機の下部にはキャスターが取り付けられているものである。
【発明の効果】
【００１６】
本発明の第１の態様乃至第７の態様の防錆フイルムの貼付治具によれば、次のような効果がある。
【００１７】
第１に、位置決め台の上面に防錆フイルムを収容するための凹陥部が設けられ、当該凹陥部の底部中心部に防錆フイルムを位置決めするための位置決め部材が配設されていることから、位置決め台に多数枚の防錆フイルムをセンタリングを維持した状態で効率よく積層・収容することができる。
【００１８】
第２に、取付け治具本体の基板の下面中心部に円筒状の位置決め駒が垂設され、当該位置決め駒がホイールのインロー部に装着し得るように構成されていることから、取付け治具本体をホイールのインロー部で位置決めすることができ、また、位置決め駒の先端部に可動部材が出没自在に装着されていることから、ドライブシャフトとの干渉を解消することができ、ひいては取付け治具本体をホイール形状に関係なく各種のホイールに適用することができる。
【００１９】
第３に、位置決め台の下方部位に台座が離間して配設され、当該台座の下部に吸引機が台座と一体的に配設されていることから、装置本体のコンパクト化を図ることができ、また、取付け治具本体の直下に吸引機が配設されていることから、取付け治具本体の吸引口に連結される吸引ホースの長さを短くすることができる。
【発明を実施するための最良の形態】
【００２０】
以下、本発明の防錆フイルムの貼付治具を適用した好ましい実施の形態例について、図面を参照して説明する。
【００２１】
図１は、本発明の防錆フイルムの貼付治具の斜視図を示している。
【００２２】
同図において、本発明の防錆フイルムの貼付治具は、上面に防錆フイルム（不図示）を収容するための円形の凹陥部１１が設けられた位置決め台１と、当該位置決め台１の凹陥部１１に着脱自在に装着し得る取付け治具本体２と、位置決め台１の下方部位に所定長の支柱７を介して配設された円板状の台座３と、台座３の下部に一体的に取り付けられた吸引機４と、必要に応じて吸引機４の下部に取り付けられたキャスター５とを備えている。
【００２３】
位置決め台１は、外径が５８０ｍｍ程度の円板状のフイルムホルダー１２と、フイルムホルダー１２の外周縁部に上方に向けて立設された環状の周壁（高さ：５０ｍｍ程度）１３とを備えており、位置決め台１の凹陥部１１の底部中心部には、すなわちフイルムホルダー１２の中心部には円形の貫通孔１４が設けられ、当該貫通孔１４の周囲には防錆フイルムを位置決めするための位置決め部材、具体的には３本の位置決めピン１５が貫通孔１４の円周方向に沿って所定の間隔をおいて上方に向けて立設されている。ここで、貫通孔１４の口径は、後述する防錆フイルムの中心部に設けられた透孔の口径と略同径とされている。
【００２４】
取付け治具本体２は、図２に示すように、外径が５１０ｍｍ程度の円板状の基板２１と、当該基板２１の下面に基板２１と同心状にかつ積層するように取り付けられたドーナツ状の吸着部材２２と、吸着部材２２の下面に吸着部材２２と同心状にかつ積層するように取り付けられたドーナツ状のクッション部材２３と、基板２１の下面中心部に垂設された位置決め駒２４とを備えている。ここで、基板２１の上面にはＵ字状の取手２１ａ、吸引口（マニホールド）２１ｂおよびトグルスイッチ２１ｃがそれぞれ設けられている。また、吸着部材２２は通気性を有し、かつ弾性を呈する部材、具体的には厚さが３０ｍｍ程度のドーナツ状のウレタンフォームで形成され、クッション部材２３は各種形状のホイールに当接可能とするためのもので、厚さが５ｍｍ程度のドーナツ状のゴム、プラスチックスポンジで形成されている。なお、吸着部材２２としてのウレタンフォームの外周にはエバーライトＳＦなどをコーティングすることでウレタンフォームのバラケ防止を図ることができる。
【００２５】
位置決め駒２４は、基板２１の下面にネジ止めなどにより固定された有底円筒状の位置決め駒（以下「位置決め駒本体」という。）２４ａと、位置決め駒本体２４ａの先端部（開口部）に出没自在に装着された有底円筒状の可動部材（以下「可動部材」という。）２４ｂと、位置決め駒本体２４ａの底部と可動部材２４ｂの底部間に軸方向に伸縮し得るように配設された例えばコイル状のスプリング２４ｃとを備えている。ここで、位置決め駒本体２４ａの外径はホイールインロー部の口径と実質的に同一とされている。具体的には、位置決め駒本体２４ａの外径は５９ｍｍ程度とされ、軸方向の長さは８０ｍｍ程度とされている。また、可動部材２４ｂの外径は４６ｍｍ程度とされ、スプリング２４ｃにバネ力が付与されない状態における可動部材２４ｂの露出長さ、すなわち位置決め駒本体２４ａの端面からの突出長さＬは２５ｍｍ程度とされている。なお、位置決め駒本体２４ａおよび可動部材２４ｂはＭＣナイロンなどの硬質のプラスチック樹脂で形成されている。
【００２６】
吸引機４の上部にはフランジ（不図示）が設けられ、当該フランジを台座３の下面に当接した状態でボルト等で締結することにより、吸引機４が台座３と一体化される。そして、吸引機４の差込口４１には吸引ホース４２の一端部が着脱自在に差し込み接続され、他端部は取付け治具本体２の吸引口（マニホールド）２１ｂに気密に連結されている。なお、吸引機４としては、電源が１００Ｖ、消費電力が１０５０Ｗ、吸込仕事率が３６０Ｗの業務用掃除機を使用することができる。また、吸引機４の下部にはキャスター５が取り付けられ、これにより、装置全体が移動可能とされている。
【００２７】
なお、図１中、符合３１は、台座３に設けられた取手、３２は電源用リード線、４３は切替スイッチ用リード線を示している。
【００２８】
次に、このような構成の防錆フイルムの貼付治具の使用方法について説明する。
【００２９】
先ず、防錆フイルムは、ディスクホイールに対応した円形状とされ、その中心部には円形の透孔が設けられている。また、防錆フイルムの片面には粘着面が設けられ、当該粘着面には離型紙が貼設されている。
【００３０】
このような構成の防錆フイルムの多数枚（１０〜２０枚程度）は、それぞれ非粘着面を上に向けて位置決め台１の凹陥部１１に積層するようにして収容される。この場合、防錆フイルムの透孔が位置決め部材（ガイドピン１５）に嵌められることで、防錆フイルムのセンタンリングが維持されることになる。
【００３１】
そして、防錆フイルムが積層・収容された位置決め台１の凹陥部１１に、取付け治具本体２を位置決め駒２４を凹陥部１１側に向けて装着し、吸引機４により吸引することで、最上面に積層された防錆フイルムの１枚が吸着されることになる。
【００３２】
次いで、取付け治具本体２を位置決め台１の凹陥部１１から取り外し、防錆フイルムが取付け治具本体２に吸着された状態において防錆フイルムから離型紙（不図示）を剥がして当該防錆フイルムの粘着面を露出させる。
【００３３】
しかして、この状態で取付け治具本体２を貼付け対象面としてのディスクホイールに向けて移動しこれを貼付け対象面としてのディスクホイールにセットする。これにより、取付け治具本体２の位置決め駒２４がディスクホイールのインロー部に挿通されるとともに防錆フイルムの粘着面がディスクホイールの表面に当接し、押圧されることで、防錆フイルムが貼付け対象面としてのディスクホイールに貼り付けられることになる。
【００３４】
以上のように、このような構成の防錆フイルムの貼付治具によれば、次のような効果がある。
【００３５】
第１に、位置決め台１の上面に防錆フイルムを収容するための凹陥部１１が設けられ、当該凹陥部１１の底部中心部に防錆フイルムを位置決めするための位置決め部材（ガイドピン１５）が配設されていることから、位置決め台１の凹陥部１１に複数枚の防錆フイルムをセンタンリングを維持した状態で効率よく積層・収容することができる。
【００３６】
第２に、取付け治具本体２の基板２１の下面中心部に円筒状の位置決め駒（位置決め駒本体２４ａ）が垂設され、当該当該位置決め駒本体２４ａがホイールのインロー部に装着し得るように構成されていることから、取付け治具本体２をホイールのインロー部で位置決めすることができ、また、当該位置決め駒本体２４ａの先端部に可動部材２４ｂが出没自在に装着されていることから、ドライブシャフトとの干渉を解消することができ、ひいては取付け治具本体２をホイール形状に関係なく各種のホイールに適用することができる。
【００３７】
第３に、位置決め台１の下方部位に台座３が離間して配設され、当該台座３の下部に吸引機４が台座３と一体的に配設されていることから、装置本体のコンパクト化を図ることができ、また、取付け治具本体２の直下に吸引機４が配設されていることから、取付け治具本体２と吸引機４間に連結される吸引ホース４２の長さを短くすることができる。
【産業上の利用可能性】
【００３８】
前述の実施例においては、図面に示した特定の実施の形態をもって本発明を説明しているが、本発明はこれらの実施の形態に限定されるものではなく、本発明の効果を奏する限り、次のように構成してもよい。
【００３９】
第１に、前述の実施例においては、防錆フイルムを位置決めするための位置決め部材として３本の位置決めピンを用いているが、２本の位置決めピンまたは４本以上の位置決めピンを用いてもよく、あるいは貫通孔の周りに上向きのフランジを設けてもよい。
【００４０】
第２に、前述の実施例においては、位置決め駒本体２４ａの底部と可動部材２４ｂの底部間にコイル状のスプリング２４ｃを配設しているが、ゴム状弾性部材を用いてもよい。
【図面の簡単な説明】
【００４１】
【図１】本発明の防錆フイルムの貼付治具の斜視図。
【図２】本発明の防錆フイルムの貼付治具における取付け治具本体の断面図。
【図３】従来の防錆フイルムの貼付治具の一部断面図。
【符号の説明】
【００４２】
１・・・位置決め台
１１・・・凹陥部
１４・・・貫通孔
１５・・・位置決め部材（位置決めピン）
２・・・取付け治具本体
２１・・・基板
２１ｂ・・・吸引口
２２・・・吸着部材
２４・・・位置決め駒
２４ｂ・・・可動部材
３・・・台座
４・・・吸引機
４２・・・吸引ホース
５・・・キャスター
【図１】
2009066964.tif 000003
【図２】
2009066964.tif 000004
【図３】
2009066964.tif 000005